(57)【要約】【課題】光ディスク再生装置において、極めて接近して配置された対物レンズと光ディスクとの接触を防止して、対物レンズおよび光ディスクの損傷による機能障害をなくすとともに、適正なフォーカス制御およびトラッキング制御を行えるようにして信頼性の高いデータの記録、読出を行えるようにする。【解決手段】対物レンズ１０３の光ディスクに対向する面に、光ディスク方向に突出するリング状のレンズ保護部１１６を設けるとともに、レンズ保護部１１６にリングの内外を連通させる少なくとも１つの凹部１１６ａを形成した。【選択図】　　　　図７
2004118992.tif 000002
【特許請求の範囲】
【請求項１】
光ディスクに対向して前記光ディスク方向に突出するリング状のレンズ保護部が設けられた対物レンズを介して光学的に前記光ディスク上に記録されたデータを読み取る光ディスク再生装置において、
前記レンズ保護部には、前記リングの内外を連通させる少なくとも１つの凹部が形成されていることを特徴とする光ディスク再生装置。
【請求項２】
前記レンズ保護部の前記凹部は、前記レンズ保護部の前記光ディスクに対向する面を２分割するように前記光ディスクの接線方向、かつ、トラッキング方向に対して直交する方向に設けられていることを特徴とする請求項１に記載の光ディスク再生装置。
【請求項３】
光ディスクに対向してレンズ保護部が設けられ、前記光ディスク上に光学的に記録されたデータを読み取るための対物レンズであって、
前記レンズ保護部は、前記光ディスク方向に突出するリング状に形成されるとともに前記リングの内外を連通させる少なくとも１つの凹部が形成されていることを特徴とする対物レンズ。
【請求項４】
前記レンズ保護部の前記凹部は、前記レンズ保護部の前記光ディスクに対向する面を２分割するように前記光ディスクの接線方向、かつ、トラッキング方向に対して直交する方向に設けられていることを特徴とする請求項３に記載の対物レンズ。
【請求項５】
光ディスク上に光学的に記録されたデータを読み取る対物レンズの前記光ディスクに対向する面に設けられ、前記光ディスク方向に突出するリング状に形成されるとともに前記リングの内外を連通させる少なくとも１つの凹部が形成されていることを特徴とするレンズ保護部。
【請求項６】
前記凹部は、前記レンズ保護部の前記光ディスクに対向する面を２分割するように前記光ディスクの接線方向に対して平行、かつ、トラッキング方向に対して直交する方向に設けられていることを特徴とする請求項５に記載のレンズ保護部。
【請求項７】
光ディスクに対向して前記光ディスク方向に突出するリング状のレンズ保護部が設けられた対物レンズを介して光学的に前記光ディスク上に記録されたデータを読み取る光ディスク再生方法であって、
前記レンズ保護部に前記リングの内外を連通させる少なくとも１つの凹部を形成し、前記リングの内外の圧力を同一として、前記光ディスクと前記対物レンズの接触を防止するようにしたことを特徴とする光ディスク再生方法。
【発明の詳細な説明】
【０００１】
【発明の属する技術分野】
本発明は、光ディスク再生装置、対物レンズ、保護部材および光ディスク再生方法に係る。
【０００２】
【従来の技術】
図１（Ａ）に示すように、従来より、レーザ光等により光学的に記録媒体である光ディスク上にデータを記録し、また光ディスクに記録されたデータを読み出して再生する光ディスク記録再生装置１は、半導体レーザ発振器等のレーザ発生装置（図示せず）から発射されたレーザ光を、ピックアップボディ２に配設された対物レンズ３で収束させて光ディスク等の記録媒体４上へ照射してデータを記録し、または記録されたデータを読出すようになっている。
【０００３】
ピックアップボディ２は、ガイドシャフト６に案内されて、光ディスク状の記録媒体４の半径方向（矢印ＡまたはＢ方向）に移動可能に配設されている。
ピックアップボディ２にはヨーク５が固定されており、ヨーク５には、固定部８が固定されている。
【０００４】
図１（Ｂ）、図２および図３に示すように、固定部８には、長手状弾性部材である４本の支持ばね９が水平方向に固着されている。４本の支持ばね９の先端には、可動部１０が配置され、支持ばね９によって矢印ＣまたはＤ方向および矢印ＥまたはＦ方向に揺動可能に支持されている。
【０００５】
可動部１０には、記録媒体４に対向して対物レンズ３が配置されるとともに、対物レンズ３の下方に立上げミラー（図示せず）が配置されており、レーザ発生装置からのレーザ光を立上げミラーで反射させて対物レンズ３に入射させるようになっている。レーザ光は、対物レンズ３によって絞られ、記録媒体４の記録面上に焦点を結ぶようになっている。
【０００６】
可動部１０の下部には、フォーカシングコイル１１ａが配置され、また側部にはトラッキングコイル１１ｂが配設されており、フォーカシングコイル１１ａに通電することによって、可動部１０を矢印ＣまたはＤ方向に僅かに移動させてフォーカシング制御し、またトラッキングコイル１１ｂに通電することによって、矢印ＥまたはＦ方向に僅かに移動させてトラッキング制御するようになっている。
【０００７】
図４に示すように、対物レンズ３としては、ガラスまたは透明プラスティック等で製作された単玉のレンズ１２（図４（Ｂ）参照）や、２枚玉の組レンズ１３（図４（Ａ）参照）が用いられている。２枚玉のレンズ１３は、金属やプラスティック等で形成された鏡筒１４に、２枚のレンズ１５Ａ，１５Ｂが組み込まれて構成されている。また、鏡筒１４は、構造的にレンズ１５Ａまたはレンズ１５Ｂと一体になっている場合もある。
【０００８】
一般に光ディスク記録再生システムでは、記録密度，システムマージン，製造許容誤差を考慮したビームスポットサイズが要求される。対物レンズにおけるビームスポットサイズは次式であらわされる。
ビームスポット径∝　波長／ＮＡ　　（ＮＡ：対物レンズ開口数）…式１
【０００９】
光ディスクを、ディスクサイズ固定で高密度化していくと、記録マークが小さくなるため、必要とされるビームスポットサイズは小さくなる。よって、式１により、ビームスポットサイズを小さくするためには、波長を短くするか、ＮＡを大きくするか、あるいはその両方が必要となる。
【００１０】
次に、ＮＡは次式であらわすことができる。
ＮＡ＝対物レンズ有効半径／対物レンズ焦点距離…式２
式２により、大きいＮＡを実現するには、対物レンズの有効半径を大きくするか、対物レンズの焦点距離を短くすればよいが、有効半径を大きくすると、必然的に対物レンズ径およびその他の光学部品も大きくなるので、光ピックアップ装置が大きくなってしまい、価格増，重量増による消費電力上昇，コンピュータ用途等の規定サイズに入らない、等のデメリットが出てくるため、焦点距離を短くする方が有利である。
【００１１】
また、スポットサイズを小さくするために使用波長を短く決めると、対物レンズ材料においては屈折率が高くなるので、そのため焦点距離が短くなる。
よって、一般に高密度の光ディスク記録再生装置では、波長を短くＮＡを高くし、対物レンズの焦点距離を短くする。
【００１２】
また、対物レンズの光ディスク最近接面から光ディスク表面までの距離を一般にＷＤ（Ｗｏｒｋｉｎｇ　Ｄｉｓｔａｎｃｅ）というが、これは完全にレンズ焦点距離に比例しないが、焦点距離が短くなれば短くなる傾向を持つ。よって高密度の光ディスク再生装置では、ＷＤが短くなる傾向を持つ。
もし、同じ波長、同じＮＡにおいて、さらに光ピックアップ装置を小型化しようとするとき、特にノートパソコン等の薄い製品に搭載するために光ディスク記録再生システムを薄型化しようとしたとき、ビームの有効半径を小さくする必要がある。式２により明らかなように、焦点距離は、有効半径を小さくした比率分だけ小さくなる。このとき、同じ記録密度の光ディスク記録再生システムでありながら、焦点距離が短くなり、ＷＤも短くなる。
【００１３】
光ディスク記録再生システムで、光ディスク（記録媒体）を記録・再生するとき、光ディスクから得られる所定の検出信号に応じて、アクチュエータ可動部および対物レンズを、フォーカシング制御およびトラッキング制御している。このとき、記録・再生中の光ディスクに大規模な欠陥等が存在し、検出信号が著しく影響を受けた場合、サーボが外れてアクチュエータ可動部が所定外の方向に所定外の速度で急激に移動する場合がある。このとき、このシステムが高密度あるいは小型薄型の光ピックアップ装置であった場合、対物レンズが光ディスクに衝突する場合がある。
【００１４】
光ディスクに大規模な欠陥がない場合でも、光ディスクの幾何学的変形や密度のアンバランスによる振動、装置の設置状況による振動、装置の外から加えられる衝撃や振動の加速度が著しく大きい場合は、同様のことが起こる。
このとき、高速回転している光ディスクに対して対物レンズが衝突すると、対物レンズが傷ついたり、光ディスクの削り粉が対物レンズの表面に付着して、その後の記録・再生に支障をきたす虞れがあった。
【００１５】
図２、図３および図４に示すように、従来の光ディスク記録再生装置１の対物レンズ３は、リング状の緩衝材１６が鏡筒１４の光ディスク４に対向する面に（図４（Ａ））、または対物レンズ１２の周辺部上面１２ａに接着等によって取付けられている。これによって、光ディスク４が対物レンズ３に直接接触することを阻止し、接触しても対物レンズ３のレンズ１２やレンズ１５Ａが傷付いたり、光ディスク４が削られるのを防止するようになっている。緩衝材１６をリング状に成形したのは、緩衝材１６の取付けが容易であり、また取付け高さの誤差を最小限に抑えてＷＤを適正に確保できるからである（例えば、特許文献１参照。）。
【００１６】
【特許文献１】
特開平５−１４４０４１号公報
【００１７】
【発明が解決しようとする課題】
近年、記録されるデータ密度を更に高めるために、例えばレーザ波長が４０５ｎｍの青色レーザ光を用い、ハイビジョン映像を２時間記録可能な次世代の大容量光ディスク再生装置が検討されている。青色レーザ光に用いる対物レンズのレンズ開口数（ＮＡ）は、０．７以上とする必要があり、これに伴なってＷＤも０．５ｍｍ以下（例えば０．２４ｍｍ）と極めて短くする必要がある。
【００１８】
データの記録または読出のために、光ディスクを高速回転させると、光ディスクの回転に伴って光ディスクに隣接する空気が連れ回られ、間隔（ＷＤ）の狭い光ディスクと対物レンズの間に高速の空気の流れが生じ、ここの圧力が低下する。
リング状の保護部材を対物レンズの光ディスクに対向する面に配置した従来技術の場合、対物レンズと光ディスクの間隔（ＷＤ）が狭いと、光ディスクの回転に伴って狭い部分で空気の流速が速くなり、その結果、減圧されて、対物レンズが光ディスク方向（図４において矢印Ｈ方向）に吸い寄せられる場合がある。波長が４０５ｎｍの青色レーザ光を使用する次世代の大容量光ディスク再生装置は、ＷＤが短く、減圧も大きくなる傾向がある。
【００１９】
これによって、適正なフォーカス制御およびトラッキング制御が阻害されたり、光ディスクとの接触回数が増大し、対物レンズが傷付いたり、光ディスク表面が削られて光ディスクにダメージを与え、また削粉が対物レンズに付着して機能障害を起こすという問題が生じる。
本発明が解決しようとする課題には、上記した問題が一例として挙げられる。
【００２０】
【課題を解決するための手段】
請求項１に記載の発明は、光ディスクに対向して前記光ディスク方向に突出するリング状のレンズ保護部が設けられた対物レンズを介して光学的に前記光ディスク上に記録されたデータを読み取る光ディスク再生装置において、前記レンズ保護部には、前記リングの内外を連通させる少なくとも１つの凹部が形成されていることを特徴とする。
【００２１】
請求項３に記載の発明は、光ディスクに対向してレンズ保護部が設けられ、光ディスク上に光学的に記録されたデータを読み取るための対物レンズであって、前記レンズ保護部は、前記光ディスク方向に突出するリング状に形成されるとともに前記リングの内外を連通させる少なくとも１つの凹部が形成されていることを特徴とする。
【００２２】
請求項５に記載の発明は、光ディスク上に光学的に記録されたデータを読み取る対物レンズの前記光ディスクに対向する面に設けられ、前記光ディスク方向に突出するリング状に形成されるとともに前記リングの内外を連通させる少なくとも１つの凹部が形成されていることを特徴とする。
【００２３】
また、請求項７に記載の発明は、光ディスクに対向して前記光ディスク方向に突出するリング状のレンズ保護部が設けられた対物レンズを介して光学的に前記光ディスク上に記録されたデータを読み取る光ディスク再生方法であって、前記レンズ保護部に前記リングの内外を連通させる少なくとも１つの凹部を形成し、前記リングの内外の圧力を同一として、前記光ディスクと前記対物レンズの接触を防止するようにしたことを特徴とする。
【００２４】
【発明の実施の形態】
以下本発明に係る実施形態を図面に基づいて詳細に説明する。
図５および図８に示すように、本発明の第１実施形態に係る光ディスク再生装置１００は、半導体レーザ発振器等のレーザ発生装置（図示せず）から出射された波長４０５ｎｍの青色レーザ光を、可動部１１０に配設された対物レンズ１０３で収束させて光ディスク記録媒体１０４上へ照射してデータを記録し、または記録したデータを読出すようになっている。
【００２５】
図８に示すように、光ディスク再生装置１００の基台（図示せず）の略中央には、スピンドルモータ（図示せず）が配設されている。スピンドルモータの回転軸に固定されたディスクテーブル（図示せず）に、光ディスク記録媒体１０４を装着して所定の回転速度で矢印Ｇ方向（またはＧ‘方向）に回転させるようになっている。
【００２６】
基台には、２本のガイドシャフト１０６が光ディスク記録媒体１０４の半径方向に向けて平行に配置されている。２本のガイドシャフト１０６には、ピックアップボディ１０２が摺動自在に配設され、ガイドシャフト１０６に案内されて、光ディスク状の光ディスク記録媒体１０４の半径方向（矢印ＡまたはＢ方向）に移動可能になっている。
【００２７】
図５および図８に示すように、ピックアップボディ１０２にはヨーク１０５が、ヨーク１０５には固定部１０８が固定されて、ピックアップボディ１０２とともに矢印ＡまたはＢ方向に移動するようになっている。固定部１０８には、４本の支持ばね１０９が水平方向に固着されている。４本の支持ばね１０９の先端には、可動部１１０が配置され、支持ばね１０９によってトラッキング方向（矢印ＡまたはＢ方向）およびフォーカシング方向（光ディスク記録媒体１０４に接近または離間する方向）に揺動可能に支持されている。
【００２８】
可動部１１０には、光ディスク記録媒体１０４の記録面に対向して対物レンズ１０３が配置されるとともに、対物レンズ１０３の下方に立上げミラー（図示せず）が配置されており、レーザ発生装置（図示せず）から出射された例えば青色のレーザ光は、立上げミラーで反射され、対物レンズ１０３に入射するようになっている。レーザ光の光束は、対物レンズ１０３によって絞られ、光ディスク記録媒体１０４の記録面上に焦点を結ぶようになっている。
【００２９】
そして、データの記録時には、光ディスク記録媒体１０４の記録面上にレーザ光を照射して、データをピットとして記録する。また、記録されたデータの読出は、光ディスク記録媒体１０４の記録面上に形成されたピットにレーザ光を照射し、ピットからの反射光を対物レンズ１０３、立上げミラーを介して、フォトセンサ（図示せず）で検出し、電気信号に変換することにより行われる。
【００３０】
図５に示すように、可動部１１０の下部にはフォーカシングコイル１１１ａが配置され、また側部には、トラッキングコイル１１１ｂが配置されている。必要に応じてフォーカシングコイル１１１ａに通電して、可動部１１０を光ディスク記録媒体１０４に接近または離間する方向に僅かに移動させて、光ディスク記録媒体１０４に形成されたピット上に正確に焦点を結ばせることにより、フォーカシング制御を行うようになっている。また、同様に、トラキングコイル１１１ｂに通電して可動部１１０を光ディスク記録媒体１０４の半径方向に僅かに移動させて、ピットの幅方向中央に青色レーザ光を照射するようにして、トラッキング制御するようになっている。
【００３１】
図６および図７に示すように、対物レンズ１０３は、金属やプラスティック等で形成された鏡筒１１４に、透明なガラスまたはプラスティック等で製作された２枚のレンズ１１５Ａ，１１５Ｂが組み込まれて構成されている。
鏡筒１１４の上面１１４ａ（光ディスク記録媒体１０４に対向する面）には、保護部１１６が接着等によって固着されている。また、鏡筒１１４は、構造上、レンズ１１５Ａまたはレンズ１１５Ｂと一体となっている場合もある。
【００３２】
保護部１１６は、例えばテフロン（登録商標）、ナイロン、エラストマ、不織布等で略リング状に形成された部材であり、光ディスク記録媒体１０４に対向する面には、直径方向に２ヵ所、凹部１１６ａが形成されている。
従って、リング状の保護部１１６の内部と外部は、凹部１１６ａによって連通している。
【００３３】
図８に示すように、凹部１１６ａは、光ディスク記録媒体１０４の接線方向、かつ、トラッキング方向に対して直交する方向に配置されている。
図６に示すように、保護部１１６の上面１１６ｂは、少なくともレンズ１１５Ａの上面と同一、または高くなっており、対物レンズ１０３を保護するようになっている。
【００３４】
例えば、波長４０５ｎｍの青色レーザ光を用いた対物レンズ１０３と、光ディスク記録媒体１０４との間隔（ＷＤ）は、極めて短く、０．２４ｍｍ程度である。
万一、保護部１１６と光ディスク記録媒体１０４とが接触しても、保護部１１６は、摩擦係数が小さく、また柔らかい材質から形成されているので、光ディスク記録媒体１０４およびレンズ１１５Ａの損傷を防止することができる。
【００３５】
光ディスク記録媒体１０４にデータを記録し、または記録されたデータを読出すために、光ディスク記録媒体１０４を回転させると、これに伴って光ディスク記録媒体１０４の周囲の空気に連れ回りが生じる。これによって、光ディスク記録媒体１０４と極めて短いＷＤ離間して配置された対物レンズ１０３の間には、高速の空気流が発生し、負圧が生じる。
しかし、リング状の保護部１１６には、光ディスク記録媒体１０４の接線方向、かつ、トラッキング方向に対して直交する方向に凹部１１６ａが設けられ、外部と連通しているので、峡間隔部での著しい流速の増加は起こらず、減圧も最小限にとどまり、保護部１１６の内外の圧力が略同一となる。
【００３６】
従って、対物レンズ１０３が光ディスク記録媒体１０４方向に吸い寄せられることはなく、対物レンズ１０３と光ディスク記録媒体１０４の接触を防止することができる。
また、発生する減圧がフォーカシング制御やトラッキング制御に与える影響を最小限にすることができ、精度の高いデータの記録、再生が可能となる。
【００３７】
なお、凹部１１６ａを光ディスク記録媒体１０４の接線方向、かつ、トラッキング方向に対して直交する方向に形成したのは、光ディスク記録媒体１０４の回転に伴って連れ回られる空気流が、凹部１１６ａを介してリング状の保護部１１６の外部から内部へ、また内部から外部へ、容易に流動できるようにして、リング状の保護部１１６の内部と外部の圧力を均一とするためである。
【００３８】
次に、本発明の第２実施形態に係る光ディスク再生について説明する。
なお、以下の説明において、対物レンズ以外の部分は、図５および図８において説明した第１実施形態の光ディスク再生装置１００と同様であるので、対物レンズ以外の部分の説明を省略する。
【００３９】
図９に示すように、第２実施形態の対物レンズ１２３は、ガラスまたは透明プラスティック等で形成された単玉レンズとして構成されている。すなわち、対物レンズ１２２の中央部１２２ａは、所定の曲率半径の曲面形状に形成され、レンズ作用するようになっている。周辺部は、リング状に平面部１２２ｂが形成されている。リング状の平面部１２２ｂには、リング状の保護部１２６が接着等により固着されている。
【００４０】
保護部１２６は、例えばテフロン（登録商標）、ナイロン、エラストマ、不織布等で略リング状に形成された部材であり、光ディスク記録媒体１０４に対向する面には、直径方向に２ヵ所の凹部１２６ａが形成されている。従って、リング状の保護部１２６の上面１２６ｂは、凹部１２６ａによって２分割され、リングの内部と外部は、凹部１２６ａによって連通している。凹部１２６ａは、光ディスク記録媒体１０４の接線方向、かつ、トラッキング方向に対して直交する方向に向けて可動部（図示せず）に配置されている。
【００４１】
図１０に示すように、第３実施形態の対物レンズ１３３は、セラミック、アルミニウム、マグネシウム、黄銅、亜鉛、ニッケル、あるいはそれらの合金等から形成された鏡筒１３４に、ガラスまたは透明プラスティク等で成形された２枚のレンズ１３５Ａ，１３５Ｂが組み込まれている。鏡筒１３４の光ディスク記録媒体１０４に対向する面１３４ａには、円弧形状の一対の保護部１３６が、略円形をなすように接着等により固着されている。一対の保護部１３６の対向する端面１３６ａ同士は、互いに離間するように配置され、端面１３６ａ間には、２つの隙間１３８が形成されている。略円形に配置された一対の保護部１３６の内部と外部は、隙間１３８を介して連通されている。隙間１３８の方向は、光ディスク記録媒体１０４の接線方向、かつ、トラッキング方向に対して直交する方向に向けて可動部に配置されている。
【００４２】
図１１に示すように、第４実施形態の対物レンズ１４３は、ガラスまたは透明プラスティック等で形成された単玉レンズから構成されている。
すなわち、対物レンズ１４３の中央部１４３ａは、所定の曲率半径の曲面形状に形成され、レンズ作用するようになっている。周辺部は、リング状の平面部１４３ｂが形成されている。リング状の平面部１４３ｂには、円弧形状の一対の保護部１４６が、略円形をなすように接着等により固着されている。一対の保護部１４６の対向する端面１４６ａ同士は、互いに離間して配置され、２つの隙間１４８が形成されている。略円形とされた一対の保護部１４６の内部と外部は、隙間１４８を介して連通されている。隙間１４８の方向は、光ディスク記録媒体１０４の接線方向、かつ、トラッキング方向に対して直交する方向に向けて可動部に配置されている。
【００４３】
図１２に示すように、第５実施形態の対物レンズ１５３は、透明プラスティック等で形成された単玉レンズから構成されている。
すなわち、対物レンズ１５３の中央部は、所定の曲率半径の曲面形状に形成され、レンズ部１５３ａが形成されている。レンズ部１５３ａの周辺部は、レンズ部１５３ａの高さと同じ高さまでリング状に立ち上げられ、上面はリング状の平面部１５３ｂが形成されている。リング状の平面部１５３ｂには、直径方向に２ヵ所、略コの字形の凹部１５３ｃが形成されている。凹部１５３ｃは、光ディスク記録媒体１０４の接線方向に対して平行、かつ、トラッキング方向に対して直交する方向に向けて可動部に配置されている。本実施形態は、対物レンズと保護部が同一材質によって一体成形されたものであって、リング状の平面部１５３ｂが保護部として作用する。また、本実施形態の対物レンズ１５３は、射出成形等により、大量生産が可能であるので、対物レンズ１５３を安価に製作できる。
【００４４】
図１３に示すように、第６実施形態の対物レンズ１６３は、セラミック、アルミニウム、マグネシウム、黄銅、亜鉛、ニッケル、あるいはそれらの合金等から形成された鏡筒１６４に、ガラスまたは透明プラスティク等で成形された２枚のレンズ１６５Ａ，１６５Ｂが組み込まれている。鏡筒１６４の光ディスク記録媒体１０４に対向する面（上面）１６４ａは、レンズ１６５Ａと同じ高さに設定されており、上面１６４ａには、直径方向に２ヵ所、略コの字形の凹部１６４ｂが形成されている。凹部１６４ｂは、光ディスク記録媒体１０４の接線方向に対して平行、かつ、トラッキング方向に対して直交する方向に向けて可動部に配置されている。
本実施形態は、対物レンズ１６３の鏡筒１６４の上面１６４ａに、保護部が一体として形成されたものであって、鏡筒１６４のの上面１６４ａが保護部として作用する。
【００４５】
図１４に示すように、第７実施形態の保護部１７６は、例えばテフロン（登録商標）、ナイロン、エラストマ、不織布等で略リング状に形成された部材であり、表面（光ディスク記録媒体１０４に対向する面）１７６ｂの一部には、略コの字形の凹部１７６ａが一箇所、形成されており、リング状の保護部１７６の内部と外部を連通させている。保護部１７６は、図７または図９に示した保護部１１６，１２６と同様に、鏡筒または単玉レンズの周辺部に接着等によって固着される。
【００４６】
図１５に示すように、第８実施形態の保護部１８６は、例えばテフロン（登録商標）、ナイロン、エラストマ、不織布等で一箇所に隙間１８６ａが設けられた略Ｃ字形に形成されている。隙間１８６ａによって、保護部１８６の内部と外部が連通している。保護部１８６は、図７または図９に示した保護部１１６，１２６と同様に、鏡筒の上面、または単玉レンズの周辺平面部に接着等によって固着される。
【００４７】
図１６に示すように、第９実施形態の保護部１９６は、例えばテフロン（登録商標）、ナイロン、エラストマ、不織布等で略リング状に形成された部材であり、表面（光ディスク記録媒体１０４に対向する面）１９６ｂには、略Ｖ字形の凹部１９６ａが直径方向に２ヶ所形成され、リング状の保護部１９６の内部と外部を連通させている。保護部１９６は、図７または図９に示した保護部１１６，１２６と同様に、鏡筒または単玉レンズの周辺部に接着等によって固着される。なお、凹部の形状は、略コの字形やＶ字形に限定されるものではなく、保護部の内部と外部を効果的に連通させる形状であればよい。
【００４８】
図１７に示すように、第１０実施形態の保護部２０６は、例えばテフロン（登録商標）、ナイロン、エラストマ、不織布等で略リング状に形成された部材であり、表面（光ディスク記録媒体１０４に対向する面）２０６ｂには、略コの字形の凹部２０６ａが９０°間隔で４ヶ所形成され、リング状の保護部２０６の内部と外部を連通させている。保護部２０６は、図７または図９に示した保護部１１６，１２６と同様に、鏡筒または単玉レンズの周辺部に接着等によって固着される。
なお、凹部の個数は、２個または４個の限定されるものではなく、保護部の内部と外部を効果的に連通させるように、適宜増加または減少させることが可能である。
【００４９】
図１８に示すように、第１１実施形態の保護部２１６は、例えばテフロン（登録商標）、ナイロン、エラストマ、不織布等で略リング状に形成された部材であり、表面（光ディスク記録媒体１０４に対向する面）２１６ｂには、略コの字形の凹部２１６ａが径方向に沿って一対、合計４ヶ所形成され、リング状の保護部２１６の内部と外部を連通させている。保護部２１６は、図７または図９に示した保護部１１６，１２６と同様に、鏡筒または単玉レンズの周辺部に接着等によって固着される。
【００５０】
前述した各実施形態の光ディスク再生装置によれば、対物レンズの光ディスク記録媒体に対向する面に、リング状のレンズ保護部が設けられている。レンズ保護部には、リングの内外を連通させるように、光ディスク記録媒体の接線方向に対して平行、かつ、トラッキング方向に対して直交する方向に向けて凹部が形成されている。
このため、リング状のレンズ保護部の内部と外部とは、圧力差が極めて小さい状態となっている。従って、減圧によって、対物レンズが光ディスク記録媒体に吸い寄せられることはない。
【００５１】
これによって、光ディスク記録媒体とレンズ保護部との接触を防止することができ、接触によって対物レンズが傷付いたり、光ディスク記録媒体の表面が削られてダメージを与えたり、また削粉が対物レンズに付着して機能障害を起こすという問題を回避することができる。
また、対物レンズのフォーカス制御およびトラッキング制御に与える影響を皆無にできるので、適正なフォーカス制御およびトラッキング制御を容易に行うことができ、信頼性の高いデータの記録および読出を行うことができる。
【００５２】
上述した内容を纏めると、光ディスク再生装置１００は、光ディスク記録媒体１０４に対向して光ディスク記録媒体１０４の方向に突出するリング状のレンズ保護部１１６，１２６，１３６，１４６，１５３ｂ，１６４ａ，１７６，１８６，１９６，２０６が設けられた対物レンズ１０３，１２３，１３３，１４３，１５３，１６３を介して光学的に光ディスク記録媒体１０４上にデータを記録し、また記録されたデータを読み取る光ディスク再生装置１００において、レンズ保護部１１６，１２６，１３６，１４６，１５３ｂ，１６４ａ，１７６，１８６，１９６，２０６，２１６には、リングの内外を連通させる少なくとも１つの凹部１１６ａ，１２６ａ，１３８，１４８，１５３ｃ，１６４ｂ，１７６ａ，１８６ａ，１９６ａ，２０６ａ，２１６ａが形成されている。
【００５３】
また、対物レンズ１０３，１２３，１３３，１４３，１５３，１６３は、光ディスク記録媒体１０４に対向してレンズ保護部１１６，１２６，１３６，１４６，１５３ｂ，１６４ａ，１７６，１８６，１９６，２０６，２１６が設けられ、光ディスク記録媒体１０４上に光学的にデータを記録し、また記録されたデータを読み取るための対物レンズ１０３，１２３，１３３，１４３，１５３，１６３であって、レンズ保護部１１６，１２６，１３６，１４６，１５３ｂ，１６４ａ，１７６，１８６，１９６，２０６，２１６は、光ディスク記録媒体１０４の方向に突出するリング状に形成されるとともにリングの内外を連通させる少なくとも１つの凹部１１６ａ，１２６ａ，１３８，１４８，１５３ｃ，１６４ｂ，１７６ａ，１８６ａ，１９６ａ，２０６ａ，２１６ａが形成されている。
【００５４】
また、レンズ保護部１１６，１２６，１３６，１４６，１５３ｂ，１６４ａ，１７６，１８６，１９６，２０６，２１６は、光ディスク記録媒体１０４上に光学的にデータを記録し、また記録されたデータを読み取る対物レンズ１０３，１２３，１３３，１４３，１５３，１６３の光ディスク記録媒体１０４に対向する面に設けられ、光ディスク記録媒体１０４の方向に突出するリング状に形成されるとともにリングの内外を連通させる少なくとも１つの凹部１１６ａ，１２６ａ，１３８，１４８，１５３ｃ，１６４ｂ，１７６ａ，１８６ａ，１９６ａ，２０６ａ，２１６ａが形成されている。
【００５５】
また、本実施形態の光ディスク再生方法は、光ディスク記録媒体１０４に対向して光ディスク記録媒体１０４の方向に突出するリング状のレンズ保護部１１６，１２６，１３６，１４６，１５３ｂ，１６４ａ，１７６，１８６，１９６，２０６，２１６が設けられた対物レンズ１０３，１２３，１３３，１４３，１５３，１６３を介して光学的に光ディスク記録媒体１０４上にデータを記録し、また記録されたデータを読み取る光ディスク再生方法であって、レンズ保護部１１６，１２６，１３６，１４６，１５３ｂ，１６４ａ，１７６，１８６，１９６，２０６，２１６にリングの内外を連通させる少なくとも１つの凹部１１６ａ，１２６ａ，１３８，１４８，１５３ｃ，１６４ｂ，１７６ａ，１８６ａ，１９６ａ，２０６ａ，２１６ａを形成し、リングの内外の圧力を同一として、光ディスク記録媒体１０４と対物レンズ１０３，１２３，１３３，１４３，１５３，１６３の接触を防止するようにした光ディスク再生方法である。
【００５６】
なお、本発明の光ディスク再生装置、対物レンズ、保護部材および光ディスク再生方法は、前述した実施形態に限定されるものではなく、適宜な変形、改良等が可能である。例えば、前述した実施形態においては、レンズ保護部はテフロン（登録商標）、ナイロン、エラストマ、不織布等で形成されたリング状部材、または対物レンズと一体成形されたものとして説明したが、鏡筒または対物レンズの周辺平面部に印刷または転写等を施して形成するようにしてもよい。
【００５７】
その他、前述した実施形態において例示した光ディスク、レンズ保護部、対物レンズ、凹部等の材質、形状、寸法、形態、数、配置箇所等は、本発明を達成できるものであれば任意であり、限定されない。
【図面の簡単な説明】
【図１】図１から図４は従来例に係り、図１（Ａ）は光ディスク再生装置の概略構成を示す要部平面図、図１（Ｂ）はアクチュエータの概略構成を示す斜視図である。
【図２】アクチュエータの斜視図である。
【図３】アクチュエータの要部分解斜視図である。
【図４】対物レンズに係り、（Ａ）は鏡筒に２枚のレンズが組み込まれて構成された対物レンズおよびレンズ保護部の縦断面図、（Ｂ）は単玉の対物レンズおよびレンズ保護部の縦断面である。
【図５】図５から図８は本発明の第１実施形態に係り、図５はアクチュエータの斜視図である。
【図６】２玉のレンズにより構成された対物レンズおよびレンズ保護部の縦断面図である。
【図７】２玉のレンズにより構成された対物レンズおよびレンズ保護部の斜視図である。
【図８】光ディスク再生装置の概略構成を示す要部平面図である。
【図９】本発明の第２実施形態に係り、単玉の対物レンズおよびレンズ保護部の斜視図である。
【図１０】本発明の第３実施形態に係り、２玉のレンズにより構成された対物レンズおよび一対の円弧状のレンズ保護部の斜視図である。
【図１１】本発明の第４実施形態に係り、単玉の対物レンズおよび一対の円弧状のレンズ保護部の斜視図である。
【図１２】本発明の第５実施形態に係り、（Ａ）は単玉の対物レンズと一体に形成されたレンズ保護部の斜視図、（Ｂ）は縦断面図である。
【図１３】本発明の第６実施形態に係り、（Ａ）は鏡筒に一体に形成されたレンズ保護部の斜視図、（Ｂ）は縦断面図である。
【図１４】本発明の第７実施形態に係り、凹部が一箇所に形成されたレンズ保護部の斜視図である。
【図１５】本発明の第８実施形態に係り、一箇所が切り欠かれてＣ形の形成されたレンズ保護部の斜視図である。
【図１６】本発明の第９実施形態に係り、２箇所に略Ｖ字形の凹部が形成されたレンズ保護部の斜視図である。
【図１７】本発明の第１０実施形態に係り、４箇所に凹部が形成されたレンズ保護部の斜視図である。
【図１８】本発明の第１１実施形態に係り、径方向に沿って一対、合計４箇所に凹部が形成されたレンズ保護部の斜視図である。
【符号の説明】
１００　光ディスク再生装置
１０２　ピックアップボディ
１０４　光ディスク記録媒体（光ディスク）
１０３，１２３，１３３，１４３，１５３，１６３　　対物レンズ
１１６，１２６，１３６，１４６，１５３ｂ，１６４ａ，１７６，１８６，１９６，２０６，２１６　　　　　　　　　　　　　　　　　レンズ保護部
１１６ａ，１２６ａ，１３８，１４８，１５３ｃ，１６４ｂ，１７６ａ，１８６ａ，１９６ａ，２０６ａ，２１６ａ　　　　　　　　　　凹部
【図１】
2004118992.tif 000003
【図２】
2004118992.tif 000004
【図３】
2004118992.tif 000005
【図４】
2004118992.tif 000006
【図５】
2004118992.tif 000007
【図６】
2004118992.tif 000008
【図７】
2004118992.tif 000009
【図８】
2004118992.tif 000010
【図９】
2004118992.tif 000011
【図１０】
2004118992.tif 000012
【図１１】
2004118992.tif 000013
【図１２】
2004118992.tif 000014
【図１３】
2004118992.tif 000015
【図１４】
2004118992.tif 000016
【図１５】
2004118992.tif 000017
【図１６】
2004118992.tif 000018
【図１７】
2004118992.tif 000019
【図１８】
2004118992.tif 000020